(57)【要約】      （修正有）【課題】薄い円板状のもの、球状体のもの、円筒体のもの、厚みのある箱体のものを係止具本体の一方側及び／又は他方側から着脱可能に係止することのできる係止具を提供する。【解決手段】被係止物を一方側又は他方側の開口部から出し入れ可能な貫通孔を備えた係止具本体と、被係止物を保持状態に維持する係止手段とを備え、貫通孔は被係止物の一方向の平行投影面に合致する内周形状部と、開口部の一部を塞いで形成された保持部１４と、被係止物が保持部１４を乗り越えて貫通孔内に嵌合可能なように内周形状部に加えて開口部の保持部１４に対向する領域を拡大した拡大内周形状部とを備え、係止手段として、被係止物がその一端側を保持部１４を乗り越える際に貫通孔の領域を塞がない位置に弾性変位し、被係止物が保持位置に至った際にその弾性力によって開口部の内向きに被係止物を押圧する係止突起部８、１６を備えるもの。【選択図】図１
2020039486.tif 000002
【特許請求の範囲】
【請求項１】
被係止物を一方側の開口部及び／又は他方側の開口部から出し入れ可能な貫通孔を備えた係止具本体と、前記貫通孔に嵌め込まれた前記被係止物を保持状態に維持する係止手段とを備えた係止具において、前記貫通孔は、前記被係止物の一方向の平行投影面に合致する内周形状部と、前記一方側と他方側との開口部の各々の前記内周形状部の縁部に、前記開口部の一部を塞いで形成された保持部と、前記被係止物が前記保持部を乗り越えて貫通孔内に嵌合可能なように、前記内周形状部に加えて前記開口部の前記保持部に対向する領域を拡大した拡大内周形状部とを備え、前記係止手段として、前記開口部の各々の前記保持部の位置する領域の貫通孔内壁面に対して前記被係止物を押圧して係止する係止突起部を備え、前記係止突起部は、前記内周形状部の開口内面の一部を塞いで形成され、前記被係止物がその一端側を前記保持部を乗り越える際に前記貫通孔の領域を塞がない位置に弾性変位し、前記被係止物が保持位置に至った際にその弾性力によって開口部の内向きに前記被係止物を押圧するものであることを特徴とする係止具。
【請求項２】
前記係止具本体が板状体であり、前記被係止物が円板状のものであり、前記拡大内周形状部が、前記開口部の保持部を前記被係止物が乗り越えて貫通孔内に嵌合可能なように、前記被係止物の平行投影面である円形の内周形状部に加えて、前記円形の内周形状部に前記開口部の前記保持部に対向する位置より拡大された領域であり、前記係止突起部が、前記開口部の内向に突設された２つの保持爪であることを特徴とする請求項１に記載の係止具。
【請求項３】
前記係止具本体が予め定められた厚さの板状体であり、前記被係止物が球状体であり、前記拡大内周形状部が、前記開口部の保持部を前記被係止物が乗り越えて貫通孔内に嵌合可能なように、前記被係止物の平行投影面である円形の内周形状部に加えて、前記円形の内周形状部に前記開口部の前記保持部に対向する位置より拡大された領域であり、前記係止突起部が、前記開口部の内向に突設された２つの保持爪であることを特徴とする請求項１に記載の係止具。
【請求項４】
前記係止具本体が予め定められた厚さの板状体であり、前記被係止物が円筒体であり、前記拡大内周形状部が、前記開口部の保持部を前記被係止物が乗り越えて貫通孔内に嵌合可能なように、前記被係止物の平行投影面である矩形の内周形状部に加えて、前記矩形の内周形状部に前記開口部の前記保持部に対向する位置より拡大された領域であり、前記係止突起部が、前記開口部の内向に突設された２つの保持爪であることを特徴とする請求項１に記載の係止具。
【請求項５】
前記係止具本体が予め定められた厚さの板状体であり、前記被係止物が箱体であり、前記拡大内周形状部が、前記開口部の保持部を前記被係止物が乗り越えて貫通孔内に嵌合可能なように、前記被係止物の平行投影面である矩形の内周形状部に加えて、前記矩形の内周形状部に前記開口部の前記保持部に対向する位置より拡大された領域であり、前記係止突起部が、前記開口部の内向に突設された２つの保持爪であることを特徴とする請求項１に記載の係止具。
【発明の詳細な説明】
【技術分野】
【０００１】
本発明は、例えば、硬貨のような薄い円板状のものを始めとして、球状体のもの、円筒のもの、厚みのある箱体のものを係止具本体の一方側と他方側との何れかから着脱可能に係止することのできる係止具に関するものである。
【背景技術】
【０００２】
従来、硬貨は財布、小銭入れ等に一括して収められ、使用の際にポケットやバッグから財布を取り出して硬貨を出し入れしている。  硬貨の数が嵩むと重たくなり携帯に不便であり、また種々の硬貨の中から必要な硬貨を取り出すのに手間が掛かり煩わしい。一方、必要時に小銭が全くないと紙幣のみの支払でつり銭が増え財布の中に硬貨が多く貯まってしまう原因になる。
【０００３】
これらの問題を解決するために、様々な硬貨入れが提供されている。例えば、特許文献１に開示されているように、合成樹脂から成形されたキャッシュカードと同程度のサイズのカード本体に硬貨を嵌め込む底面に透孔を設けた嵌入凹部と、その内側上縁に複数のかかり部とその外側に弾性壁を形成して設けられた横長の透孔を有する硬貨収納カードがある。
【０００４】
また、特許文献２に開示されているように、合成樹脂から成形されたキャッシュカードと同程度のサイズのカード本体を貫通する複数の硬貨収容穴部に、その穴部の一面側と他面側の内周面に複数の係止突起部を構成したカード型硬貨入れがある。
【先行技術文献】
【特許文献】
【０００５】
【特許文献１】実開昭６２−０９２７１３号公報
【特許文献２】実開平０４−１３６１２０号公報
【発明の概要】
【発明が解決しようとする課題】
【０００６】
しかしながら、特許文献１に記載の硬貨収納カードはそのカードの一面側からしか硬貨を収納・取り出しすることしかできず使い勝手が悪いという問題があった。また、特許文献２には、このような問題に対応して平板のカード本体に複数の硬貨を収納でき、カード本体の表・裏に係わらず硬貨を収納、又は取り出すことができる硬貨収納カードが記載されている。
【０００７】
このような係止具については、薄い円板状のコインを係止するコインホルダーを想定しているが、コインだけで無く、他のもの、例えば、球状体のもの、円筒体のもの、厚みのある箱体のもの等を係止して陳列することを念頭にしたものはない。
【０００８】
本発明は、薄い円板状のものは元より、例えば、球状体のもの、円筒体のもの、厚みのある箱体のものを係止具本体の一方側及び／又は他方側から着脱可能に係止することのできる係止具を得ることを目的とする。
【課題を解決するための手段】
【０００９】
請求項１に記載された発明に係る係止具は、被係止物を一方側の開口部及び／又は他方側の開口部から出し入れ可能な貫通孔を備えた係止具本体と、前記貫通孔に嵌め込まれた前記被係止物を保持状態に維持する係止手段とを備えた係止具において、前記貫通孔は、前記被係止物の一方向の平行投影面に合致する内周形状部と、前記一方側と他方側との開口部の各々の前記内周形状部の縁部に、前記開口部の一部を塞いで形成された保持部と、前記被係止物が前記保持部を乗り越えて貫通孔内に嵌合可能なように、前記内周形状部に加えて前記開口部の前記保持部に対向する領域を拡大した拡大内周形状部とを備え、前記係止手段として、前記開口部の各々の前記保持部の位置する領域の貫通孔内壁面に対して前記被係止物を押圧して係止する係止突起部を備え、前記係止突起部は、前記内周形状部の開口内面の一部を塞いで形成され、前記被係止物がその一端側を前記保持部を乗り越える際に前記貫通孔の領域を塞がない位置に弾性変位し、前記被係止物が保持位置に至った際にその弾性力によって開口部の内向きに前記被係止物を押圧するものであることを特徴とするものである。
【００１０】
請求項２に記載された発明に係る係止具は、請求項１に記載の係止具本体が板状体であり、前記被係止物が円板状のものであり、前記拡大内周形状部が、前記開口部の保持部を前記被係止物が乗り越えて貫通孔内に嵌合可能なように、前記被係止物の平行投影面である円形の内周形状部に加えて、前記円形の内周形状部に前記開口部の前記保持部に対向する位置より拡大された領域であり、前記係止突起部が、前記開口部の内向に突設された２つの保持爪であることを特徴とするものである。
【００１１】
請求項３に記載された発明に係る係止具は、請求項１に記載の係止具本体が予め定められた厚さの板状体であり、前記被係止物が球状体であり、前記拡大内周形状部が、前記開口部の保持部を前記被係止物が乗り越えて貫通孔内に嵌合可能なように、前記被係止物の平行投影面である円形の内周形状部に加えて、前記円形の内周形状部に前記開口部の前記保持部に対向する位置より拡大された領域であり、前記係止突起部が、前記開口部の内向に突設された２つの保持爪であることを特徴とするものである。
【００１２】
請求項４に記載された発明に係る係止具は、請求項１に記載の係止具本体が予め定められた厚さの板状体であり、前記被係止物が円筒体であり、前記拡大内周形状部が、前記開口部の保持部を前記被係止物が乗り越えて貫通孔内に嵌合可能なように、前記被係止物の平行投影面である矩形の内周形状部に加えて、前記矩形の内周形状部に前記開口部の前記保持部に対向する位置より拡大された領域であり、前記係止突起部が、前記開口部の内向に突設された２つの保持爪であることを特徴とするものである。
【００１３】
請求項５に記載された発明に係る係止具は、請求項１に記載の係止具本体が予め定められた厚さの板状体であり、前記被係止物が箱体であり、前記拡大内周形状部が、前記開口部の保持部を前記被係止物が乗り越えて貫通孔内に嵌合可能なように、前記被係止物の平行投影面である矩形の内周形状部に加えて、前記矩形の内周形状部に前記開口部の前記保持部に対向する位置より拡大された領域であり、前記係止突起部が、前記開口部の内向に突設された２つの保持爪であることを特徴とするものである。
【発明の効果】
【００１４】
本発明は、薄い円板状のもの、球状体のもの、円筒体のもの、厚みのある箱体のものを係止具本体の一方側及び／又は他方側から着脱可能に係止することのできる係止具を得ることができるという効果がある。
【図面の簡単な説明】
【００１５】
【図１】本発明の係止具の一実施例のカード型硬貨収納ケースの斜視図である。
【図２】図１の正面図である。
【図３】図１のＡ−Ａ断面図である。
【図４】本発明の係止具の別の実施例の構成を示す説明図であり、ａ図は正面図、ｂ図は断面図である。
【図５】本発明の係止具の別の実施例の構成を示す説明図であり、ａ図は正面図、ｂ図は横断面図、ｃ図は縦断面図である。
【図６】本発明の係止具の別の実施例の構成を示す説明図であり、ａ図は正面図、ｂ図は横断面図、ｃ図は縦断面図である。
【図７】本発明の係止具の別の実施例の構成を示す説明図であり、ａ図は正面図、ｂ図は横断面図、ｃ図は縦断面図である。
【発明を実施するための形態】
【００１６】
本発明においては、被係止物を一方側の開口部及び／又は他方側の開口部から出し入れ可能な貫通孔を備えた係止具本体と、貫通孔に嵌め込まれた被係止物を保持状態に維持する係止手段とを備えた係止具において、貫通孔は、被係止物の一方向の平行投影面に合致する内周形状部と、一方側と他方側との開口部の各々の内周形状部の縁部に、開口部の一部を塞いで形成された保持部と、被係止物が保持部を乗り越えて貫通孔内に嵌合可能なように、内周形状部に加えて開口部の保持部に対向する領域を拡大した拡大内周形状部とを備え、係止手段として、開口部の各々の保持部の位置する領域の貫通孔内壁面に対して被係止物を押圧して係止する係止突起部を備え、係止突起部は、内周形状部の開口内面の一部を塞いで形成され、被係止物がその一端側を保持部を乗り越える際に貫通孔の領域を塞がない位置に弾性変位し、被係止物が保持位置に至った際にその弾性力によって開口部の内向きに被係止物を押圧するものである。これにより、薄い円板状のもの、球状体のもの、円筒体のもの、厚みのある箱体のものを係止具本体の一方側及び／又は他方側から着脱可能に係止することのできる係止具を得ることができる。
【００１７】
本発明の被係止物としては、硬貨のような薄い円板状のもの、ボールのような球状体のもの、缶入りドリンクのような円筒体のもの、厚みのある箱体のもの等を係止具本体の一方側及び／又は他方側から着脱可能に係止する。
【００１８】
本発明の係止具本体としては、被係止物を一方側の開口部及び／又は他方側の開口部から出し入れ可能な貫通孔を備えるものであればよく、保持される被係止物に応じて種々のものが選択される。例えば、硬貨のように薄い円板状のものを保持する係止具本体としては、硬貨よりも若干厚い薄板状とすることにより、コインホルダーとして利用することができる。尚、貫通孔の開口部は係止具本体の平面上に形成されなくてもよく、曲面や凹凸のある部分に形成されてもよい。結果的に係止具本体としては板状体に限定はされない。
【００１９】
本発明の貫通孔としては、被係止物を一方側の開口部及び／又は他方側の開口部から出し入れ可能な孔であればよい。詳しくは、被係止物の一方向の平行投影面に合致する内周形状部と、一方側と他方側との開口部の各々の内周形状部の縁部に、開口部の一部を塞いで形成された保持部と、被係止物が保持部を乗り越えて貫通孔内に嵌合可能なように、内周形状部に加えて開口部の保持部に対向する領域を拡大した拡大内周形状部とを備える。
【００２０】
即ち、貫通孔の内周形状部としては、被係止物の一方向の平行投影面と合致する形状であれば貫通孔内を一方側から他方側に出し入れ可能となる。本発明では、貫通孔の両端の開口部に、内周形状部の縁部の一部を塞いだ保持部を備えているため、被係止物を開口部から貫通孔へ出し入れする場合には、被係止物が保持部を乗り越えて貫通孔内に嵌合可能なように開口部の保持部に対向する領域に拡大した拡大内周形状部を内周形状部に加えて設けたものとする。
【００２１】
尚、拡大内周形状部としては、なるべく小さい領域とすることがしっかりとした保持状態となる。そのため、被係止物の形状に応じて保持部と拡大内周形状部とを工夫することにより、拡大内周形状部を小さくすることができる。例えば、薄い円板状のものでは、被係止物の端縁を保持部の内側に挿入し、その挿入された端部を中心として、被係止物の挿入された反対側の縁部を回動して貫通孔に入れる（図３参照）。この際、貫通孔は開口部の保持部に対向する位置を拡大した拡大内周形状部を内周形状部に加えた長さとすることにより出し入れが可能となる。
【００２２】
また、球状のものでは、どの方向からの平行投影面が全て円形となるため、貫通孔の開口部に保持部で内周形状部の縁部の一部を塞いでいる場合には、球状の被係止物は、保持部を乗り越えて貫通孔に侵入可能なように、保持部の最も高い端部から対向側に球状の被係止物の平行投影面の円形分だけ開口部が拡大されている。即ち、拡大されている開口部から保持部がない円形の開口部の領域を除いた部分が拡大内周形状部となる。尚、この拡大内周形状部は係止具本体の一方側に加えて、他方側の開口部でも保持部に対向する位置についても拡大内周形状部として加えている（図４のａ図参照）。
【００２３】
更に、円筒体のものでは、平面投影面が円形の場合と矩形の場合との２通りが考慮される。即ち、貫通孔の内周形状部が円形である場合は、球状と同様に保持部の最も高い端部から平行投影面の円形から保持部がない円形の開口部の領域を除いた部分が拡大内周形状部とすればよい。また、貫通孔の内周形状部が矩形である場合は、円筒体の高さに平行な母線に沿って保持部が形成されている場合と、円筒体の底面に平行な方向に沿って保持部が形成されている場合とで動作が相違する。
【００２４】
即ち、円筒体の高さに平行な母線に沿って保持部が形成されている場合には、保持部の最も高い端部から平行投影面の矩形から保持部がない矩形状の開口部の領域を除いた部分が拡大内周形状部となり、被係止物を保持部に乗り越えさせながら、矩形の開口部から出し入れさせる（図５参照）。この場合、円筒体の被係止物を長手軸を軸心として回動させながら保持部を乗り越えさせるとスムーズに出し入れをすることが可能となる。
【００２５】
また、円筒体の底面に平行な方向に沿って保持部が形成されている場合には、保持部の最も高い端部から平行投影面の矩形から保持部がない矩形状の開口部の矩形領域を除いた部分が拡大内周形状部となり、被係止物を保持部に乗り越えさせながら、矩形の開口部から出し入れさせる（図６参照）。この場合、貫通孔の保持部に対向する位置の内周壁面に円筒状の被係止物の平面部を当接させながら保持部を乗り越えさせるとスムーズに出し入れをすることが可能となる。
【００２６】
また、箱体のものでは、薄い円板状のものと同様に行ってもよいし、箱体の厚さに応じて円筒の底面に平行な方向に沿って保持部が形成されている場合と同様に行ってもよい。即ち、被係止物の端縁を保持部の内側に挿入し、その挿入された端部を中心として、被係止物の挿入された反対側の縁部を回動して貫通孔に入れる。また、被係止物を保持部に乗り越えさせながら、矩形の開口部から出し入れさせる（図７参照）。
【００２７】
本発明の係止手段としては、開口部の各々の前記保持部の位置する領域の貫通孔内壁面に対して被係止物を押圧して係止する係止突起部を備える。この係止突起部は、内周形状部の開口内面の一部を塞いで形成され、被係止物がその一端側を保持部を乗り越える際に貫通孔の領域を塞がない位置に弾性変位し、被係止物が保持位置に至った際にその弾性力によって開口部の内向きに被係止物を押圧するものであればよく、好ましくは、プラスチック等の弾性部材で被係止物を押し付けた際に被係止物で当接した部分が広がるように構成されたものが採用される。
【００２８】
また、例えば球状体のもの、円筒のもの、箱体のような厚みのある被係止物を係止する係止具本体は、それ自体もある程度の厚みが必要となる。この場合、係止具本体を一面側部と他面側部及びその中間部から構成される三層構造とし、一面側部と他面側部には柔軟性とゴム弾性を保持した合成樹脂を素材として薄い平板状にして使用し、中間部には軽量・安価で成形容易な合成樹脂や木材などの素材を必要に応じた厚みに成形して使用することができる。
【００２９】
この様に係止具本体を三層構造とした場合には、上記ゴム弾性等のある合成樹脂を薄い平板状にして使用する一面側部と他面側部には、被係止物の一方向の平行投影面に合致する内周形状部と保持部及び係止手段を形成する。また、中間部に使用する上記素材には、一面側部と他面側部に形成したのと同様な被係止物の内周形状部に拡大内周形状部を付加して形成する。そして、これらの一面側部と他面側部の間に中間部を入れて貼り合わせた三層構造の係止具本体にすることでも厚みのある被係止物を係止することができる。
【実施例１】
【００３０】
図１は本発明の係止具の一実施例のカード型硬貨収納ケースの斜視図である。図２は図１の正面図である。図３は図１のＡ−Ａ断面図である。本実施例の係止具は、カード型硬貨収納ケースであり、図１の通り、合成樹脂により板状に成形されたカード本体と、カード本体の一面側から他面側に貫通して形成された複数の硬貨収納穴部と、硬貨収納穴部の内周面の一面側と他面側の各縁辺に、内周面の内向に突設された保持爪を有する２つの係止突起部と、内周面の内方向に延設されて硬貨収納穴部の穴径の一部を塞ぐ１つの保持部とを有し、一面側と他面側の縁辺に形成されている係止突起部と保持部が、倒置した位置関係にある。
【００３１】
即ち、係止具本体としてのカード本体１には種々の硬貨を嵌入するための複数の貫通孔である硬貨収容穴部５が形成されている。この硬貨収容穴部５の内周面６には収容された硬貨を拘持するための係止突起部８と保持部１４とが形成されている。カード本体１は、合成樹脂を原料として成形されている。カード本体１は平坦な表面の一面側３及び裏面の他面側４から成る扁平な薄板状であり、キャッシュカードと同一、又はそれに等しいサイズの形状に成形されている。
【００３２】
また、カード本体１の厚みは、収納する硬貨の厚みに多少の厚みを加えて成形されている。この多少の厚みとは、硬貨を拘持するための係止突起部８と、保持部１４の厚みを意味する。例えば、５００円硬貨と１００円硬貨を収納するカード本体１の場合は、５００円硬貨の厚みがカード本体１の厚みの基準となる。この厚みに後述する係止突起部８と保持部１４の厚みを加えることで最終的なカード本体１の厚みが決められる。
【００３３】
このようにカード本体１の厚みは、収納する硬貨の組合せの中で１番厚い硬貨を基準にして、それに係止突起部８と保持部１４の厚みを加えて決められている。また、カード本体１に形成されている複数の硬貨収容穴部５も収納する硬貨の組合せによりその穴数や硬貨の位置が適宜決められている。
【００３４】
硬貨収容穴部５は、カード本体１の一面側３から他面側４に貫通して形成されている。硬貨収容穴部５は、硬貨の嵌入・抜脱が円滑にできるように、尚且つ嵌入・収納した硬貨が容易に脱落しないように、収納する硬貨の円周のサイズに合わせて穴径が設定されている。カード本体１に形成される硬貨収容穴部５の数は、硬貨の種類の組合せにより異なるが、上段と下段の２列で構成され、いずれか一方の段の硬貨収容穴部５が３個で、他方の段は２個の合計で５個の場合と、上段と下段のいずれもが３個の合計で６個（図示せず）の場合がある。
【００３５】
５００円硬貨と１００円硬貨の組合せと５０円硬貨と１０円硬貨の組合せの場合は、硬貨収容穴部５の数は５個となり、各カード１枚で９００円分と９０円分の硬貨が収納できる。また、５円硬貨と１円硬貨の組合せの場合は、硬貨収容穴部５の数は６個となり、カード１枚で１０円分の硬貨が収納できる。従って、上記カード３枚で合計１０００円分の硬貨を収納できる。また、５００円から１円の各種計６個の硬貨を１枚のカードに収納することもできる。
【００３６】
この硬貨収容穴部５には、収納した硬貨を拘持するための手段として係止突起部８と、保持部１４が形成されている。係止突起部８と保持部１４は、カード本体１に形成された硬貨収容穴部５の内周面６の一面側３と他面側４の双方の縁辺７に形成されている。
【００３７】
図２に示すように、一面側３の縁辺７ａには２つの係止突起部８ａ、８ｂが形成されており、この２つの係止突起部８ａ、８ｂが硬貨収納穴部５の中心Ｏを基点にＹ字の二股に分かれた先Ｙ１とＹ２に位置し、保持部１４ａが、Ｙ字の支軸の基部Ｘに位置するようにして硬貨収納穴部５の内周面６の周方向にＹ字状に離間して形成されている。従って、内周面６の縁辺７ａに設けた２つの係止突起部８ａ（Ｙ１）と８ｂ（Ｙ２）の２点と硬貨収納穴部５の中心Ｏを結んで作られる中心角が、同じ縁辺７ａに設けた保持部１４ａの位置する基部Ｘと各係止突起部８ａの位置するＹ１及び８ｂの位置するＹ２のいずれかの２点と硬貨収納穴部５の中心Ｏを結んで作られる中心角よりも小さくなるように形成されている。
【００３８】
また、２つの係止突起部８ａ、８ｂと保持部１４ａとが内周面６の周方向に均等に離間して形成されていても良い。このように２つの係止突起部８ａ、８ｂは、保持部１４ａを２等分する硬貨収容穴部５の直径軸Ｈを基軸として左右対称に形成されている。これは、他面側４の縁辺７ｂに形成されている係止突起部８ｃ、８ｄと保持部１４ｂについても同様である。
【００３９】
また、この左右対称に形成された係止突起部８に隣接して係止突起部１６を形成しても良い。この場合、付加される係止突起部１６は、係止突起部８と比較して小さいものとなる。そして、同じ縁辺７に形成されている保持部１４から、遠い距離に係止突起部８が形成され、近い距離に係止突起部１６が形成される。このように形成することで係止突起部１６を増加しても硬貨を硬貨収容穴部５に抵抗なく嵌入でき、またより安定的に硬貨を硬貨収容穴部５に保持できる。
【００４０】
この係止突起部１６を付加した場合も、図２に示すように一面側３の縁辺７ａに隣接する大・小１組の係止突起部８ａ、１６ａと他の大・小１組の係止突起部８ｂ、１６ｂを、保持部１４ａから係止突起部８ａ、８ｂを遠い距離に位置し、保持部１４ａを２等分する硬貨収容穴部５の直径軸Ｈを基軸として左右対称に形成されている。これは、他面側４の縁辺７ｂに形成されている係止突起部８ｃ、１６ｃと係止突起部８ｄ、１６ｄについても保持部１４ｂとの関係において同様である。
【００４１】
この係止突起部８と１６は、硬貨収容穴部５の内周面６の周壁の一部から開口してカード本体１のボディ２に内周面６の周壁に沿ってフック状の長溝１０を削成して形成した舌片状の薄壁１１と、その先端部１２に内周面６の内向きに突起した保持爪９から構成されている。これらの長溝１０の深さと薄壁１１の長さは、係止突起部の大・小に関連して係止突起部８のほうが係止突起部１６に比較して多少深く、また長くなっているが、何れもフック状の長溝１０を削成して舌片状の薄壁１１とすることで、係止突起部８及び１６に可撓性を持たせると共に耐久性を維持できるように形成されている。
【００４２】
また、内周面６の内向きに突起した保持爪９についても、係止突起部８のほうが係止突起部１６に比較して多少大きいが、何れも舌片状の薄壁１１の先端部１２を離れて基部１３に向かうにつれて縮閉するＲ曲線状の傾斜面となって次第に縮小していくように形成されており、基部１３の付近で消滅している。この可撓性を有する舌片状の薄壁１１と内周面６の内向きに突起した保持爪９により硬貨収容穴部５への硬貨の嵌脱を容易にし、且つ硬貨を硬貨収容穴部５に拘持し保持することを可能にしている。
【００４３】
保持部１４は、硬貨収容穴部５の内周面６の縁辺７から内方向に延設されて該硬貨収納穴部５の穴径の一部を塞ぐように形成されている。この内周面６の内方向に延設された保持部１４の外縁１５は、その形状を直線としてもよいが、好ましくは円弧とするのがよい。この保持部１４のサイズは、大きすぎると硬貨の出し入れが困難となる。一方、小さすぎると硬貨が簡単に外れるといった問題が生じ、更には使用者が硬貨を嵌め込む方向の見分けが困難となり、使い勝っての悪いものとなる。従って、大きすぎず、しかし容易に視認でき、且つ硬貨を硬貨収容穴部５に安定的に保持できる程度の大きさが要求される。
【００４４】
このことから、保持部１４の外縁１５が円弧の形状となる場合には、硬貨収納穴部５の内周面６の縁辺７の円周上の２点を結んで形成される保持部の弧が半円より小さくなる劣弧として形成される。この保持部１４が硬貨収納穴部５に嵌入された硬貨の一部を押止して硬貨を硬貨収納穴部５に保持する。これらの硬貨収容穴部５の内周面６の各縁辺７に左右対称に形成された係止突起部８、そして保持部14は、一面側３と他面側４では上下左右が反転した位置に形成されている。
【００４５】
図３に示すように、例えば一面側３の係止突起部８ａ、１６ａが硬貨収容穴部５の左上半円部に形成されているなら、他面側４の係止突起部８ｃ、１６ｃはその右下半円部に形成されており、一面側３の保持部１４ａが硬貨収容穴部５の右上半円部に形成されているなら、他面側４の保持部１４ｂはその左下半円部に形成されているというように互いに倒置した位置関係にある。
【００４６】
このように、係止突起部８ｂ、１６ｂと８ｄ、１６ｄについても同様に、倒置した位置関係を有して形成されている。これにより、カード本体１の一面側３、又は他面側４のいずれの側からも自由に硬貨１７を押し込んで収納し、押し出して使用することが可能となる。
【００４７】
次に硬貨１７の嵌脱について説明する。硬貨１７をカード本体１に納めるには、各硬貨１７のサイズにあった硬貨収容穴部５を選び硬貨を嵌め込む側の硬貨収容穴部５の内周面６の縁辺７に形成されている保持部１４が上になる様に硬貨を硬貨収容穴部５へ斜めに滑り込ませる。図３に示す通り、硬貨収容穴部５とそこに収容される硬貨１７とは、硬貨収容穴部５が硬貨の大きさよりも若干拡大された拡大内周形状部を備える。即ち、硬貨の一端を保持部１４を乗り越えて斜めに滑り込ませた場合に、硬貨の厚みに由来する分だけ保持部１４の対向位置を広げた拡大内周形状部を含む硬貨収容穴部５（（硬貨の直径の二乗＋硬貨の厚さの二乗の平方根））を備えるため、硬貨１７を嵌め込むことができる。
尚、被係止物が硬貨１７のように薄い物が対象で、係止具本体が柔軟性とゴム弾性を保持し耐屈曲疲労性及び亀裂伝播抵抗に優れている、例えばエラストマーのような合成樹脂のみでカード本体１のように扁平で薄板状に形成されている場合には、硬貨収容穴部５、即ち貫通孔に拡大内周形状部を備えていなくても被係止物の嵌脱を行うことができる。
【００４８】
このことで硬貨は、傾斜してその周縁が保持部１４と同じ縁辺７に形成されている係止突起部８の保持爪９の上に乗る状態で置かれる。硬貨１７のその部分を押すと、保持爪９は硬貨の周縁に押されて半径方向外向きに撓み、硬貨１７は硬貨収容穴部５に嵌り込む。硬貨が硬貨収容穴部５に嵌り込むと撓んだ係止突起部８の保持爪９は元の位置に戻り、その保持爪９で硬貨収容穴部５に嵌り込んだ硬貨の周縁を押さえる。そして、保持部１４が上になる様に硬貨１７を硬貨収容穴部５へ斜めに滑り込ませた硬貨１７のその部分は保持部１４により押止・保持される。
【００４９】
このようにして押し込まれた硬貨１７は、一面側３の係止突起部８と保持部１４と、他面側４の逆の位置にある係止突起部８と保持部１４により硬貨収容穴部５に嵌入・収納される。一方、硬貨１７を取り出すには、硬貨１７が収納されている硬貨収納穴部５の保持部１４の下方にあたる硬貨１７の一部分を押すことで硬貨収容穴部５に収納されている硬貨を容易に取り出すことができる。
【００５０】
これは、硬貨１７の保持部１４の下方にあたる部分を押すことで、反対側の係止突起部８の保持爪９が硬貨１７の周縁に押されて硬貨収納穴部５の半径方向外向きに撓み、硬貨１７の周縁に掛かっていた保持爪９の押さえを開放するからである。このようにして、硬貨１７の一部分を押すだけで、硬貨収容穴部５に嵌入・収納されている硬貨１７を硬貨収容穴部５から容易に抜脱することができる。また、係止突起部１６を付加して大・小１組の係止突起部８、１６とすることで、上記と同様な作用効果が得られ、しかもより安定的に硬貨を硬貨収容穴部５に収納・保持できる。
【実施例２】
【００５１】
図４は本発明の係止具の別の実施例の構成を示す説明図であり、ａ図は正面図、ｂ図は断面図である。図５は本発明の係止具の別の実施例の構成を示す説明図であり、ａ図は正面図、ｂ図は横断面図、ｃ図は縦断面図である。図６は本発明の係止具の別の実施例の構成を示す説明図であり、ａ図は正面図、ｂ図は横断面図、ｃ図は縦断面図である。図７は本発明の係止具の別の実施例の構成を示す説明図であり、ａ図は正面図、ｂ図は横断面図、ｃ図は縦断面図である。
【００５２】
本発明では、実施例１での薄い円板状のものだけで無く、他の形状のものでも係止具本体の対向する２面の開口部４２ａから着脱可能に係止する係止具を作成した。図４に示す通り、球状の被係止物４５を保持するための係止具４０は、対向する２面を備えた平板状の係止具本体４１を備え、対向する２面を貫通した貫通孔４２の各々の開口部４２ａの一面側の開口部４２ａは、開口面の一部を塞ぐように保持部４２ｂが貫通孔４２の内周形状部の縁部に形成されている。この場合には、球状の被係止物４５は、保持部４２ｂを乗り越えて貫通孔４２に侵入可能なように、保持部４２ｂの最も高い端部から対向側に球状の被係止物４５の平行投影面の円形分だけ開口部４２ａが拡大されている。即ち、拡大されている開口部４２ａから保持部４２ｂがない円形の開口部４２ａの領域を除いた部分が拡大内周形状部４２ｃとなる。
【００５３】
本実施例の係止手段としての係止突起部４３は、係止具４０の保持部４２ｂと同じ面側の貫通孔４２の中心に対して対向位置に２つ形成されており、球状の被係止物４５が保持部４２ｂを乗り越えさせる際に拡大内周形状部４２ｃを含む貫通孔４２の領域を塞がない位置に弾性変位し、球状の被係止物４５が保持位置に至った際にその弾性力によって開口部４２ａの内向きに被係止物４５を押圧する。これにより、球状の被係止物４５を両面から着脱自在に係止することができる。尚、本実施例の係止具４０では、他面側にも開口部４２ａを備え、保持部４２ｂと、拡大内周形状部４２ｃと、係止突起部４３とが貫通孔４２の中心点に対して点対称の位置に形成されている。
【００５４】
次に、円筒状の被係止物５５を保持するための係止具５０は、図５に示す通り、対向する２面を備えた平板状の係止具本体５１を備え、対向する２面を貫通した矩形状の内周形状部を有する貫通孔５２が形成されている。この貫通孔５２の２つの開口部５２ａの各々には貫通孔５２の対向位置に保持部５２ｂで矩形状の内周形状部の長辺縁部を塞いでいる。円筒状の被係止物５５が保持部５２ｂを乗り越えられるように、貫通孔５２の開口部５２ａの保持部５２ｂの対向辺を保持部５２ｂの高さ分だけ拡大した拡大内周形状部５２ｃが形成されている。
【００５５】
本実施例の係止手段としての係止突起部５３は、係止具５０の保持部５２ｂと同じ面側の貫通孔５２の中心に対して対向位置に２つ形成されており、円筒状の被係止物５５が保持部５２ｂを乗り越えさせる際に拡大内周形状部５２ｃを含む貫通孔５２の領域を塞がない位置に弾性変位し、円筒状の被係止物５５が保持位置に至った際にその弾性力によって開口部５２ａの内向きに被係止物５５を押圧することにより、円筒状の被係止物５５を両面から着脱自在に係止することができる。尚、本実施例の係止具では、係止具５０の対向する２面の貫通孔５２の対向位置に保持部５２ｂと係止突起部５３とが形成されている。このため、保持部５２ｂを下方に係止具本体５１を設置すると、対向する保持部５２ｂの間に被係止物５５が自身の自重で収まることとなる。
【００５６】
また、円筒状の被係止物６５を保持するための別の係止具６０では、図６に示す通り、対向する２面を備えた平板状の係止具本体６１を備え、対向する２面を貫通した矩形状の内周形状部を有する貫通孔６２が形成されている。この貫通孔６２の２つの開口部６２ａの各々には貫通孔６２の対向位置に保持部６２ｂで矩形状の内周形状部の短辺縁部の両側部を塞いでいる。円筒状の被係止物６５が保持部６２ｂを乗り越えられるように、貫通孔６２の開口部６２ａの保持部６２ｂの対向辺を保持部６２ｂの高さ分だけ拡大した拡大内周形状部６２ｃが形成されている。
【００５７】
本実施例の係止手段としての係止突起部６３は、係止具６０の保持部６２ｂと同じ面側の貫通孔６２の中心に対して対向位置に２つ形成されており、円筒状の被係止物６５が保持部６２ｂを乗り越えさせる際に拡大内周形状部６２ｃを含む貫通孔６２の領域を塞がない位置に弾性変位し、円筒状の被係止物６５が保持位置に至った際にその弾性力によって開口部６２ａの内向きに被係止物６５を押圧することにより、円筒状の被係止物６５を両面から着脱自在に係止することができる。尚、本実施例の係止具では、係止具６０の対向する２面の貫通孔６２の対向位置に保持部６２ｂと係止突起部６３とが形成されている。このため、保持部６２ｂを下方に係止具本体６１を設置すると、対向する保持部６２ｂの間に被係止物６５が自身の自重で収まることとなる。
【００５８】
更に、箱状の被係止物７５を保持するための別の係止具７０では、図６に示した掛止具とほぼ同等の構成としている。図７に示す通り、対向する２面を備えた平板状の係止具本体７１を備え、対向する２面を貫通した矩形状の内周形状部を有する貫通孔７２が形成されている。この貫通孔７２の２つの開口部７２ａの各々には貫通孔７２の対向位置に保持部７２ｂで矩形状の内周形状部の短辺縁部の両側部を塞いでいる。箱状の被係止物７５が保持部７２ｂを乗り越えられるように、貫通孔７２の開口部７２ａの保持部７２ｂの対向辺を保持部７２ｂの高さ分だけ拡大した拡大内周形状部７２ｃが形成されている。
【００５９】
本実施例の係止手段としての係止突起部７３は、係止具７０の保持部７２ｂと同じ面側の貫通孔７２の中心に対して対向位置に２つ形成されており、箱状の被係止物７５が保持部７２ｂを乗り越えさせる際に拡大内周形状部７２ｃを含む貫通孔７２の領域を塞がない位置に弾性変位し、箱状の被係止物７５が保持位置に至った際にその弾性力によって開口部７２ａの内向きに被係止物７５を押圧することにより、箱状の被係止物７５を両面から着脱自在に係止することができる。尚、本実施例の係止具では、係止具７０の対向する２面の貫通孔７２の対向位置に保持部７２ｂと係止突起部７３とが形成されている。このため、保持部７２ｂを下方に係止具本体７１を設置すると、対向する保持部７２ｂの間に被係止物７５が自身の自重で収まることとなる。
【００６０】
尚、被係止物については、薄い円板状のもの、球状体のもの、円筒のもの、厚みのある箱体のものを係止することを実施例で例示したが、他の形状の被係止物についても、これら薄い円板状のもの、球状体のもの、円筒のもの、厚みのある箱体のものを組み合わせて構成してもよい。例えば、ボトル状の被係止物では、円筒体の上平板部に小さい円筒体を合わせた形状であるため、円筒形の係止具の貫通孔の内周形状部をボトル状とすることにより、同様の形態を採用することが可能となる。
【産業上の利用可能性】
【００６１】
本発明の係止具は、一方側と他方側との何れかから着脱可能に係止することができるため、複数の被係止物を保持して携帯したり、陳列することができる。
【符号の説明】
【００６２】
１…カード本体、          ２…ボディ、
３…一面側、              ４…他面側、
５…硬貨収納穴部、        ６…内周面、
７…縁辺、                ８…係止突起部（大）、
９…保持爪、            １０…長溝、
１１…薄壁、              １２…先端部、
１３…基部、              １４…保持部、
１５…外縁、              １６…係止突起部（小）、
１７…硬貨、
４０  、５０  、６０  、７０  …係止具、
４１  、５１  、６１  、７１  …係止具本体、
４２  、５２  、６２  、７２  …貫通孔、
４２ａ、５２ａ、６２ａ、７２ａ…開口部、
４２ｂ、５２ｂ、６２ｂ、７２ｂ…保持部、
４２ｃ、５２ｃ、６２ｃ、７２ｃ…拡大内周形状部、
４３  、５３  、６３  、７３  …係止突起部、
４５  、５５  、６５  、７５  …被係止物、
【図１】
2020039486.tif 000003
【図２】
2020039486.tif 000004
【図３】
2020039486.tif 000005
【図４】
2020039486.tif 000006
【図５】
2020039486.tif 000007
【図６】
2020039486.tif 000008
【図７】
2020039486.tif 000009